(57)【要約】【課題】屋根にかかる負担を軽減することができるとともに、屋根の棟仕上げの作業性を良好にすること。【解決手段】一対の野地板１１，１１の頂部に跨って設けられた複数の垂木支持金具２０と、垂木支持金具２０に渡って設けられた垂木３０と、野地板１１，１１上に設けられた桟瓦１４と、桟瓦１４の上端側に設けられた下段位置決め部材５１と、下段位置決め部材５１の上部に取り付けられるとともに、その一部が折曲されて垂木支持金具２０に固定される第１のし瓦支持板６１と、第１のし瓦支持板６１の下段位置決め部材５１の上部にその上端側を載置し、下端側を桟瓦１４上の第１のし瓦支持板６１の端に載置した割りのし瓦４１と、上記頂部の上方に配置されるとともに、その両下端が割りのし瓦４１の上方に配置された冠瓦７０を備えている。【選択図】      図１
2008150798.tif 000002
【特許請求の範囲】
【請求項１】
屋根の棟に割りのし瓦を段積みして棟仕上げする割りのし瓦の固定構造において、
一対の野地板の頂部に跨って設けられた複数の垂木支持金具と、
これら複数の垂木支持金具に渡って設けられた垂木と、
上記野地板上に設けられた桟瓦と、
この桟瓦の上端側に設けられた位置決め部材と、
この位置決め部材の上部に取り付けられるとともに、その一部が折曲されて上記垂木支持金具に固定されるのし瓦支持板と、
こののし瓦支持板の上記位置決め部材の上部にその上端側を載置し、下端側を上記桟瓦上ののし瓦支持板の端に載置した割りのし瓦と、
上記頂部の上方に配置されるとともに、その両下端が上記割りのし瓦の上方に配置された冠瓦を備えていることを特徴とする割りのし瓦の固定構造。
【請求項２】
上記割りのし瓦の上端側に設けられた第２の位置決め部材と、
この第２の位置決め部材の上部に取り付けられるとともに、その一部が折曲されて上記垂木支持金具に固定されるのし瓦支持板と、
こののし瓦支持板の上記位置決め部材の上部にその上端側を載置し、下端側を上記割りのし瓦上に載置した第２の割りのし瓦とを備えていることを特徴とする請求項１に記載の割りのし瓦の固定構造。
【請求項３】
上記のし瓦支持板には、上記位置決め部材に係合されるように折曲された係合部が形成されることを特徴とする請求項１に記載の割りのし瓦の固定構造。
【請求項４】
上記のし瓦支持板と上記桟瓦との間には上記一対の野地板の頂部と外部との空気を流通させるための通流部が形成されていることを特徴とする請求項１に記載の割りのし瓦の固定構造。
【請求項５】
一対の野地板の頂部に跨って設けられた複数の垂木支持金具と、
これら複数の垂木支持金具に渡って設けられた垂木と、
上記一対の野地板上にそれぞれ設けられた一対の桟瓦と、
これら一対の桟瓦の上端側に設けられ、上記一対の野地板の頂部と外部との空気を流通させるための一対の通気部材と、
上記垂木に跨って配置されるとともにその両下端が上記一対の通気部材の上面に取り付けられた冠瓦とを備えていることを特徴とする換気棟構造。
【発明の詳細な説明】
【技術分野】
【０００１】
本発明は、屋根の棟に段積みする割りのし瓦の固定構造に関し、特に屋根にかかる負担を軽減するとともに、作業性に優れたものに関する。
【背景技術】
【０００２】
家屋の棟部においては、雨水が家屋内に浸入するのを防止するため、土、なんばん、しっくい等を用いて屋根の棟に生じる隙間を固める湿式工法が従来より用いられていた。湿式工法では、屋根の棟に割りのし瓦を段積みして固定するにあたって、各段毎に緊結線等で割りのし瓦双方を緊結すると共に、野地板と割りのし瓦の間及び割りのし瓦の上下間にしっくい等を詰め固めるものである。このような構造では、緊結線等による緊結によって各段毎の割りのし瓦双方の離反が防がれていると共に、しっくい等の詰め固めによって浮き上がりや位置ずれが防がれている。
【０００３】
しかしながら、湿式工法は、作業に手間がかかるとともに熟練が必要であり、また荷重による屋根への負担が大きいため、近年では、乾式工法を用いたものが採用されつつある。例えば、屋根の大棟に設けた棟芯材で支持するのし瓦支持板の板部によって、上段の割りのし瓦を受けて支持すると共に、下段の割りのし瓦を押さえて固定する構造が知られている（例えば、特許文献１参照）。なお、最上段には冠瓦が載置される。
【特許文献１】特開平１１−１０７４５１号公報（段落番号［００１２］〜［００１９］及び図１）
【発明の開示】
【発明が解決しようとする課題】
【０００４】
上述した割りのし瓦の固定構造では、次のような問題があった。すなわち、のし瓦支持板は、割りのし瓦を位置決めすることが難しく、正確に積むことができない。このため、上方の冠瓦が頂部の真上に位置決めされず、地震等による振動によって建物に揺れやねじれが生じた場合に、のし瓦支持板と割りのし瓦との間に隙間が生じ、水密性が損なわれる虞がある。
【０００５】
そこで本発明は、屋根にかかる負担を軽減することができるとともに、のし瓦の緊結による棟の一体化によって耐震性を向上させ、かつ、屋根の棟仕上げの作業性を良好にすることができる割りのし瓦の固定構造及び換気棟構造を提供することを目的としている。
【課題を解決するための手段】
【０００６】
前記課題を解決し目的を達成するために、本発明の割りのし瓦の固定構造及び換気棟構造は次のように構成されている。
【０００７】
屋根の棟に割りのし瓦を段積みして棟仕上げする割りのし瓦の固定構造において、一対の野地板の頂部に跨って設けられた複数の垂木支持金具と、これら複数の垂木支持金具に渡って設けられた垂木と、上記野地板上に設けられた桟瓦と、この桟瓦の上端側に設けられた位置決め部材と、この位置決め部材の上部に取り付けられるとともに、その一部が折曲されて上記垂木支持金具に固定されるのし瓦支持板と、こののし瓦支持板の上記位置決め部材の上部にその上端側を載置し、下端側を上記桟瓦上ののし瓦支持板の端に載置した割りのし瓦と、上記頂部の上方に配置されるとともに、その両下端が上記割りのし瓦の上方に配置された冠瓦を備えていることを特徴とする。
【０００８】
一対の野地板の頂部に跨って設けられた複数の垂木支持金具と、これら複数の垂木支持金具に渡って設けられた垂木と、上記一対の野地板上にそれぞれ設けられた一対の桟瓦と、これら一対の桟瓦の上端側に設けられ、上記一対の野地板の頂部と外部との空気を流通させるための一対の通気部材と、上記垂木に跨って配置されるとともにその両下端が上記一対の通気部材の上面に取り付けられた冠瓦とを備えていることを特徴とする。
【発明の効果】
【０００９】
本発明によれば、しっくい等の使用を減らすことで屋根にかかる負担を軽減することができるとともに、のし瓦の緊結による棟の一体化によって耐震性を向上させ、かつ、のし瓦支持板を使用することにより屋根の棟仕上げの作業性を良好にすることが可能となる。
【発明を実施するための最良の形態】
【００１０】
図１は本発明の第１の実施の形態に係る割りのし瓦の固定構造を有する大棟１０を示している。大棟１０は、屋内と屋外とを仕切る一対の野地板１１，１１により形成されている。一対の野地板１１，１１は対向配置されている。野地板１１，１１の上部には、水平方向に配置された複数の桟木１３が設けられており、これら桟木１３に桟瓦１４が支持されている。
【００１１】
一対の野地板１１，１１の頂部に跨って複数の垂木支持金具２０が所定間隔で配置されており、これら複数の垂木支持金具２０に渡って垂木３０が取り付けられている。垂木３０上には中央位置決め部材３１が設けられている。
【００１２】
最上段の桟瓦１４の上部には、割りのし瓦部４０が形成されている。割りのし瓦部４０は、割りのし瓦４１〜４３を３段積みしたものである。この割りのし瓦部４０の最上段に位置する割りのし瓦４３の上部に冠瓦７０の両下端が載置されている。
【００１３】
さらに、野地板１１，１１の頂部、最上段の桟木１３、桟瓦１４の間にはしっくい８０により雨止めがされている。
【００１４】
割りのし瓦部４０は、下側から上側にかけて、下段位置決め部材５１、第１のし瓦支持板６１、割りのし瓦４１、中段位置決め部材５２、第２のし瓦支持板６２、割りのし瓦（第２の割りのし瓦）４２、上段位置決め部材５３、第３のし瓦支持板６３、割りのし瓦４３の順で積み重ねられている。
【００１５】
下段位置決め部材５１は、金属材や木材等で形成され、長手方向に沿って設けられる。下段位置決め部材５１は、のし瓦支持板６１と割りのし瓦４１に止めつけられる。
【００１６】
第１のし瓦支持板６１は、金属材製の板材を折曲して形成されており、下段位置決め部材５１の上面に沿って設けられた基準部６１ａと、この基準部６１ａから桟瓦１４の上面側に接触する下端部６１ｂと、基準部６１ａから垂直に立ち上がって垂木支持金具２０に取り付けられる上端部６１ｃとを備えている。基準部６１ａと下端部６１ｂとの間はほぼ直角に折曲され、下段位置決め部材５１の側面に係合している。
【００１７】
中段位置決め部材５２は、金属材や木材等で形成され、長手方向に沿って設けられる。
【００１８】
第２のし瓦支持板６２は、金属材製の板材を折曲して形成されており、位置決め部材５２の上面に沿って設けられた基準部６２ａと、この基準部６２ａから割りのし瓦４２側へ折曲された下端部６２ｂと、基準部６２ａから垂直に立ち上がって垂木支持金具２０に取り付けられる上端部６２ｃとを備えている。
【００１９】
上段位置決め部材５３は、金属材や木材等で形成され、長手方向に沿って設けられる。
【００２０】
第３のし瓦支持板６３は、金属材製の板材を折曲して形成されており、中央位置決め部材３１の上面に沿って設けられた基準部６３ａと、この基準部６３ａから両側の上段位置決め部材５３側へ折曲された一対の下端部６３ｂとを備えている。
【００２１】
このように構成された割りのし瓦の固定構造１０によれば、第１，第２のし瓦支持板６１，６２をそれぞれ下段，中段位置決め部材５１，５２に固定することができるので、正確に位置決めした上で固定を確実に行うことができる。また、下段，中段位置決め部材５１，５２を用いて木ネジ等でのし瓦支持板６１，６２に止めつけることで、強度、耐久性を向上させることができる。また、しっくい等の量を最小限に抑えても十分に雨水止めの効果を得ることができるため、荷重を小さくし、屋根への負担を軽減することができる。
【００２２】
図２は本発明の第２の実施の形態に係る割りのし瓦の固定構造を有する大棟１０Ａを示している。図２において図１と同一機能部分には同一符号を付し、その詳細な説明は省略する。
【００２３】
本実施の形態に係る大棟１０Ａでは、換気機能を有する棟構造の一例を示す図である。大棟１０Ａにおいては、しっくい８０を用いていない。また、第１のし瓦支持板６１の下端部６１ｂと、桟瓦１４との間に、一対の野地板１１，１１の頂部と外部との空気の流通を図るための通気部材９０が設けられている。なお、図２中の９１は雨浸入防止用の防水面戸を示している。
【００２４】
このように構成された大棟１０Ａでは、前述した大棟１０と同様の効果が得られるとともに、野地板１１，１１と桟瓦１４との間の空気が通気部材９０を介して外部に抜けるので、換気を行うことができる。また、桟瓦１４と割りのし瓦４１との間から直接外へ換気を行うことができるので換気効率が向上する。さらに、乾式のし積みの場合、今までのものは、重量が垂木支持金具２０に全部かかるため、ぐらつきやすい。大棟１０Ａでは、桟瓦１４の上で強度のある通気部材９０及び第１のし瓦支持板６１に割りのし瓦４１が接触していて重量が分散してうけるため安定性がある。また、桟瓦１４に直接割りのし瓦４１をあてると、桟瓦１４のねじれを割りのし瓦４１が受けるため、割りのし瓦４１が上下に波打ってしまう。大棟１０Ａでは第１のし瓦支持板６１でうけるため、整然と並ぶこととなる。
【００２５】
図３は本発明の第３の実施の形態に係る換気棟構造を有する大棟１０Ｂを示している。図３において図１及び図２と同一機能部分には同一符号を付し、その詳細な説明は省略する。
【００２６】
大棟１０Ｂにおいては、桟瓦１４の上端側に通気部材９０を介して、冠瓦７０の両下端を載置するようにしている。なお、図３中２１は水切り部材、９２は透湿シート、９３はシーラを示している。
【００２７】
このように構成された大棟１０Ｂでは、前述した大棟１０Ａと同様の効果が得られるとともに、割りのし瓦４１〜４３を用いていないのでさらに屋根の軽量化に寄与することができる。また、乾式換気棟でコストが低く、かつ、雨じまいの良い、桟瓦１４と冠瓦７０との間から換気ができるため、換気効率がさらに向上する。
【００２８】
図４は本発明の第４の実施の形態に係る換気棟構造を有する大棟１０Ｃを示している。図４において図３と同一機能部分には同一符号を付し、その詳細な説明は省略する。
【００２９】
大棟１０Ｃにおいては、アルミ製の防水面戸９１をブチルテープとともに使用することにより、さらに雨浸入防止の効果と耐候性を高くしている。
【００３０】
このように構成された大棟１０Ｃでは、前述した大棟１０と同様の効果が得られる。
【００３１】
なお、本発明は前記実施の形態に限定されるものではない。例えば、上述した例では、割りのし瓦を３段積みとしたがこれに限られない。また、通気部材は他のものを用いてもよい。この他、本発明の要旨を逸脱しない範囲で種々変形実施可能であるのは勿論である。
【図面の簡単な説明】
【００３２】
【図１】本発明の第１の実施の形態に係る割りのし瓦の固定構造を有する大棟を示す縦断面図。
【図２】本発明の第２の実施の形態に係る割りのし瓦の固定構造を有する大棟を示す縦断面図。
【図３】本発明の第３の実施の形態に係る換気棟構造を有する大棟を示す縦断面図。
【図４】本発明の第４の実施の形態に係る換気棟構造を有する大棟を示す縦断面図。
【符号の説明】
【００３３】
１０，１０Ａ〜１０Ｃ、１１…野地板、１４…桟瓦、２０…垂木支持金具、３０…垂木、３１…中央位置決め部材、４０…割りのし瓦部、４１…割りのし瓦、４２…割りのし瓦（第２の割りのし瓦）、４３…割りのし瓦、５１…下段位置決め部材、５２…中段位置決め部材、５３…上段位置決め部材、６１…第１のし瓦支持板、６２…第２のし瓦支持板、６３…第３のし瓦支持板、７０…冠瓦、８０…しっくい、９０…通気部材、９１…シーラ。
【図１】
2008150798.tif 000003
【図２】
2008150798.tif 000004
【図３】
2008150798.tif 000005
【図４】
2008150798.tif 000006